【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
一般式（Ｉ）を有する共重合体であって、
【化１】
2019521201.tif 000001
式中：Ｒ１が、２価のＣ５〜Ｃ７脂肪族基または２価のＣ５〜Ｃ７ヘテロ脂肪族基（任意選択的に、１以上のＣ１〜Ｃ６脂肪族基；Ｏ、ＮおよびＳから独立に選択されたヘテロ原子；またはこれらの組み合わせで置換されたもの）から選択され：前記２価のＣ５〜Ｃ７ヘテロ脂肪族基が、Ｏ、ＮおよびＳから独立に選択された１個または２個のヘテロ原子を含み；且つＲ１の、任意選択的にヘテロ原子で置換された２価のＣ５〜Ｃ７脂肪族基における、あるいは任意選択的にヘテロ原子で置換された２価のＣ５〜Ｃ７ヘテロ脂肪族基における、ヘテロ原子の最大数が２であり；ｘが、０．０５〜０．９５から選択されるモル分率範囲であり、且つｙが０．０５〜０．９５から選択されるモル分率範囲であり、ｘとｙの和が１に等しい、共重合体。
【請求項２】
Ｒ１が、２価のＣ５〜Ｃ６線状脂肪族基から選択される、請求項１に記載の共重合体。
【請求項３】
Ｒ１が、１以上のＣ１〜Ｃ３線状脂肪族基で置換される、請求項１または２に記載の共重合体。
【請求項４】
Ｒ１が、Ｏ、ＮおよびＳから独立に選択された１個のヘテロ原子で置換される、請求項１〜３のいずれか一項に記載の共重合体。
【請求項５】
Ｒ１が１個のヘテロ原子で置換され、且つ１つのヘテロ原子がＯである、請求項１〜４のいずれか一項に記載の共重合体。
【請求項６】
【化２】
2019521201.tif 000002
が、
【化３】
2019521201.tif 000003
から選択される、請求項１または請求項２に記載の共重合体。
【請求項７】
ｘが、０．１５〜０．８５のモル分率範囲であり、且つｙが０．１５〜０．８５のモル分率範囲である、請求項１〜６のいずれか一項に記載の共重合体。
【請求項８】
包接水和物を形成しうる流体における包接水和物の形成を阻害する方法であって、前記方法が、前記包接水和物を形成するのに適した条件下で、前記流体を一般式（Ｉ）の少なくとも１つの共重合体と接触させることを含み、
【化４】
2019521201.tif 000004
式中：Ｒ１が、２価のＣ５−Ｃ７脂肪族基または２価のＣ５〜Ｃ７ヘテロ脂肪族基（任意選択的に、１以上のＣ１−Ｃ６脂肪族基；Ｏ、ＮおよびＳから独立に選択されたヘテロ原子；またはこれらの組み合わせで置換されたもの）から選択され、前記２価のＣ５〜Ｃ７ヘテロ脂肪族基が、Ｏ、ＮおよびＳから独立に選択された１個または２個のヘテロ原子を含み；且つＲ１の、任意選択的にヘテロ原子で置換された２価のＣ５〜Ｃ７脂肪族基における、あるいは任意選択的にヘテロ原子で置換された２価のＣ５〜Ｃ７ヘテロ脂肪族基における、ヘテロ原子の最大数が２であり；ｘが、０．０５〜０．９５から選択されるモル分率範囲であり、且つｙが０．０５〜０．９５から選択されるモル分率範囲であり、ｘとｙの和が１に等しい、方法。
【請求項９】
前記流体が、水ホスト分子と、メタン、エタン、プロパン、ブタン、ペンタン、二酸化炭素、硫化水素、窒素、これらの縮合物、またはこれらの組み合わせから選択された天然ガスゲスト分子とを含む、請求項８に記載の方法。
【請求項１０】
前記包接水和物が、ＳＩ包接水和物、ＳＩＩ包接水和物、ＳＨ包接水和物、またはこれらの組み合わせを含み、且つ前記接触が、前記ＳＩ包接水和物、前記ＳＩＩ包接水和物、前記ＳＨ包接水和物、または前記これらの組み合わせの形成を阻害する、請求項８または９に記載の方法。
【請求項１１】
前記接触が、０℃〜４．０℃の第１の過冷却温度で前記包接水和物の形成を阻害し、４．０℃〜１０．０℃の第２の過冷却温度で前記包接水和物の形成を阻害する、請求項１７〜２２のいずれか一項に記載の方法。
【請求項１２】
前記接触が、４０ｂａｒ〜２００ｂａｒの圧力範囲内で前記包接水和物の形成を阻害する、請求項８〜１１のいずれか一項に記載の方法。
【請求項１３】
前記流体を、一般式（Ｉ）の前記少なくとも１つの共重合体および１以上の添加剤、腐食阻害剤、スケール阻害剤、熱力学的水和物阻害剤、低用量水和物阻害剤、抗凝集剤、溶媒、またはこれらの組み合わせを含む、組成物と接触させる、請求項８〜１２のいずれか一項に記載の方法。
【請求項１４】
【化５】
2019521201.tif 000005
が、
【化６】
2019521201.tif 000006
から選択され、
ｘが、０．５のモル分率であり、且つｙが０．５のモル分率である、請求項８〜１３のいずれか一項に記載の方法。
【請求項１５】
前記流体が、タイインプラットフォームにて少なくとも１つの共重合体に接触する、請求項８〜１４のいずれか一項に記載の方法。
【手続補正２】
【補正対象書類名】明細書
【補正対象項目名】０１３２
【補正方法】変更
【補正の内容】
【０１３２】
別途規定されていない限り、本開示において使用されている全ての技術用語および科学用語の意味は、特許請求の範囲に記載されている主題の属する当業者に遍く理解されている意味と同じである。本開示において使用されている用語は、もっぱら特定の実施形態について説明することを目的としたものであり、制限的であることを意図したものではない。開示および添付の特許請求の範囲において使用されている単数形「ａ」、「ａｎ」および「ｔｈｅ」は、文脈上他の意味に解釈されることが明らかでない限り、複数形も含むことを意図したものである。
以下、本発明の好ましい実施形態を項分け記載する。
実施形態１
実施形態１
一般式（Ｉ）を有する共重合体であって、
【化７】
2019521201.tif 000007
式中：Ｒ１が、２価のＣ４〜Ｃ７脂肪族基および２価のＣ４〜Ｃ７ヘテロ脂肪族基（任意選択的に、１以上のＣ１〜Ｃ６脂肪族基；Ｏ、ＮおよびＳから独立に選択されたヘテロ原子；またはこれらの組み合わせで置換されたもの）から選択され：前記２価のＣ４〜Ｃ７ヘテロ脂肪族基が、Ｏ、ＮおよびＳから独立に選択された１個または２個のヘテロ原子を含み；且つＲ１におけるヘテロ原子の最大数が２であり；ｘが、０．０５〜０．９５から選択されるモル分率範囲であり、且つｙが０．０５〜０．９５から選択されるモル分率範囲であり、ｘとｙの和が１に等しい、共重合体。
実施形態２
Ｒ１が、２価のＣ４〜Ｃ６線状脂肪族基および２価のＣ４〜Ｃ６線状ヘテロ脂肪族基から選択される、実施形態１に記載の共重合体。
実施形態３
Ｒ１が、２価のＣ４〜Ｃ６線状脂肪族基から選択される、実施形態１または実施形態２に記載の共重合体。
実施形態４
Ｒ１が、１以上のＣ１〜Ｃ３線状脂肪族基、Ｃ１〜Ｃ３分岐鎖状脂肪族基、またはこれらの組み合わせで置換される、実施形態１〜３のいずれか一項に記載の共重合体。
実施形態５
Ｒ１が、Ｏ、ＮおよびＳから独立に選択された１個のヘテロ原子で置換される、実施形態１〜４のいずれか一項に記載の共重合体。
実施形態６
Ｒ１が１個のヘテロ原子で置換され、且つ１つのヘテロ原子がＯである、実施形態１〜５のいずれか一項に記載の共重合体。
実施形態７
【化８】
2019521201.tif 000008
が、
【化９】
2019521201.tif 000009
から選択される、実施形態１または実施形態２に記載の共重合体。
実施形態８
【化１０】
2019521201.tif 000010
が、
【化１１】
2019521201.tif 000011
から選択される、実施形態１または実施形態２に記載の共重合体。
実施形態９
ｘが、０．１５〜０．８５のモル分率範囲であり、且つｙが０．１５〜０．８５のモル分率範囲である、実施形態１〜８のいずれか一項に記載の共重合体。
実施形態１０
ｘが、０．３〜０．７から選択されるモル分率範囲であり；且つｙが０．３〜０．７から選択されるモル分率範囲である、実施形態１〜９のいずれか一項に記載の共重合体。
実施形態１１
ｘが、０．５のモル分率であり、且つｙが０．５のモル分率である、実施形態１〜１０のいずれか一項に記載の共重合体。
実施形態１２
Ｒ１が、２価のＣ４〜Ｃ６線状脂肪族基から選択され；ｘが、０．１５〜０．８５から選択されるモル分率範囲であり；且つｙが０．１５〜０．８５から選択されるモル分率範囲である、実施形態１に記載の共重合体。
実施形態１３
【化１２】
2019521201.tif 000012
が、
【化１３】
2019521201.tif 000013
から選択され、
ｘが、０．３〜０．７のモル分率範囲であり、且つｙが０．３〜０．７のモル分率範囲である、実施形態１または実施形態２に記載の共重合体。
実施形態１４
【化１４】
2019521201.tif 000014
が、
【化１５】
2019521201.tif 000015
から選択され、且つｘおよびｙが等モル分率である、実施形態１または実施形態２に記載の共重合体。
実施形態１５
前記共重合体の粘度平均分子量が、１，０００ｇ／ｍｏｌ〜２０，０００ｇ／ｍｏｌの範囲内にある、実施形態１〜１４のいずれか一項に記載の共重合体。
実施形態１６
前記共重合体の粘度平均分子量が５，０００ｇ／ｍｏｌ〜１５，０００ｇ／ｍｏｌの範囲内にある、実施形態１〜１５のいずれか一項に記載の共重合体。
実施形態１７
包接水和物を形成しうる流体における包接水和物の形成を阻害する方法であって、前記方法が、前記包接水和物を形成するのに適した条件下で、前記流体を一般式（Ｉ）の少なくとも１つの共重合体と接触させることを含み、
【化１６】
2019521201.tif 000016
式中：Ｒ１が、２価のＣ４−Ｃ７脂肪族基および２価のＣ４〜Ｃ７ヘテロ脂肪族基（任意選択的に、１以上のＣ１−Ｃ６脂肪族基；Ｏ、ＮおよびＳから独立に選択されたヘテロ原子；またはこれらの組み合わせで置換されたもの）から選択され、前記２価のＣ４〜Ｃ７ヘテロ脂肪族基が、Ｏ、ＮおよびＳから独立に選択された１個または２個のヘテロ原子を含み；且つＲ１におけるヘテロ原子の最大数が２であり；ｘが、０．０５〜０．９５から選択されるモル分率範囲であり、且つｙが０．０５〜０．９５から選択されるモル分率範囲であり、ｘとｙの和が１に等しい、方法。
実施形態１８
前記流体が、水ホスト分子と、メタン、エタン、プロパン、ブタン、ペンタン、二酸化炭素、硫化水素、窒素、これらの縮合物、またはこれらの組み合わせから選択された天然ガスゲスト分子とを含む、実施形態１７に記載の方法。
実施形態１９
前記流体が酸性ガスゲスト分子を含む、実施形態１７または実施形態１８に記載の方法。
実施形態２０
前記流体が、二酸化炭素、硫化水素、窒素、またはこれらの組み合わせから選択された天然ガスゲスト分子を含む、実施形態１７〜１９のいずれか一項に記載の方法。
実施形態２１
前記流体が、メタン、エタン、プロパン、ブタン、二酸化炭素、硫化水素、および窒素ガスゲスト分子を含む、実施形態１７〜２０のいずれか一項に記載の方法。
実施形態２２
前記包接水和物が、ＳＩ包接水和物、ＳＩＩ包接水和物、ＳＨ包接水和物、またはこれらの組み合わせを含み、且つ前記接触が、前記ＳＩ包接水和物、前記ＳＩＩ包接水和物、前記ＳＨ包接水和物、または前記これらの組み合わせの形成を阻害する、実施形態１７〜２１のいずれか一項に記載の方法。
実施形態２３
前記接触が、０℃〜４．０℃の第１の過冷却温度で前記包接水和物の形成を阻害する、実施形態１７〜２２のいずれか一項に記載の方法。
実施形態２４
前記接触が、４．０℃〜１０．０℃の第２の過冷却温度で前記包接水和物の形成を阻害する、実施形態１７〜２３のいずれか一項に記載の方法。
実施形態２５
前記接触が、４０ｂａｒ〜２００ｂａｒの圧力範囲内で前記包接水和物の形成を阻害する、実施形態１７〜２４のいずれか一項に記載の方法。
実施形態２６
前記接触が、７０ｂａｒ〜１００ｂａｒの圧力範囲内で前記包接水和物の形成を阻害する、実施形態１７〜２５のいずれか一項に記載の方法。
実施形態２７
一般式（Ｉ）の共重合体を、包接水和物の形成を阻害するのに有効な量で前記流体と接触させる、実施形態１７〜２６のいずれか一項に記載の方法。
実施形態２８
前記流体を、一般式（Ｉ）の前記少なくとも１つの共重合体および１以上の添加剤、腐食阻害剤、スケール阻害剤、熱力学的水和物阻害剤、低用量水和物阻害剤、抗凝集剤、溶媒、またはこれらの組み合わせを含む、組成物と接触させる、実施形態１７〜２７のいずれか一項に記載の方法。
実施形態２９
Ｒ１が、２価のＣ４−Ｃ６線状脂肪族基および２価のＣ４−Ｃ６線状ヘテロ脂肪族基から選択され、ｘが、０．１５〜０．８５のモル分率範囲であり、且つｙが０．１５〜０．８５のモル分率範囲である、実施形態１７〜２８のいずれか一項に記載の方法。
実施形態３０
Ｒ１が、２価のＣ４〜Ｃ６線状脂肪族基から選択され、ｘが、０．３〜０．７から選択されるモル分率範囲であり；且つｙが０．３〜０．７から選択されるモル分率範囲である、実施形態１７〜２８のいずれか一項に記載の方法。
実施形態３１
【化１７】
2019521201.tif 000017
が、
【化１８】
2019521201.tif 000018
から選択され、
ｘが、０．５のモル分率であり、且つｙが０．５のモル分率である、実施形態１７〜２８のいずれか一項に記載の方法。
実施形態３２
【化１９】
2019521201.tif 000019
が、
【化２０】
2019521201.tif 000020
から選択され、ｘが、０．５のモル分率であり、且つｙが０．５のモル分率である、実施形態１７〜２８のいずれか一項に記載の方法。
実施形態３３
前記共重合体の粘度平均分子量が、１，０００ｇ／ｍｏｌ〜２０，０００ｇ／ｍｏｌの範囲内にある、実施形態１７〜３２のいずれか一項に記載の方法。
実施形態３４
前記流体が、タイインプラットフォームにて少なくとも１つの共重合体に接触する、実施形態１７〜３３のいずれか一項に記載の方法。
実施形態３５
前記流体がパイプライン内を流れる、実施形態１７〜３４のいずれか一項に記載の方法。